(57)【要約】【課題】たとえ本体ケースの前面側を下へ向けて置いてしまっても、レンズカバーが傷つきにくく、たとえ傷ついたとしても映像に支障をきたすことのないインターホン機器を提供する。【解決手段】本体ケースの前面に設けられたレンズカバー７の下側に、レンズカバー７と隣接してスピーカ用パネル１２を取り付けるとともに、スピーカ用パネル１２の上辺に沿って左右方向へ延びる保護突条１４を前方へ突設し、インターホン子機１を、その前面を下へ向けて床面等へ置いた際に、レンズカバー７の上隅部と保護突条１４とが床面に接触した状態で支持されるようにした。したがって、レンズカバー７の床面との接触箇所をレンズカバー７の上隅部に限定することができ、レンズカバー７が傷つく事態を抑制することができる。さらに、たとえ傷ついたとしてもレンズカバー７の上隅部であるため、傷が映像に映り込んだりすることがない。【選択図】図３
2017022608.tif 000002
【特許請求の範囲】
【請求項１】
本体ケースに内蔵されているカメラのレンズが前記本体ケースの前面側に露出しているとともに、前記レンズの前方が、前記本体ケースの前面よりも前方へ膨出するレンズカバーで覆われてなるインターホン機器であって、
前記本体ケースの前面側において、少なくとも一部が前記レンズカバーの表面よりも前方へ突出する保護突条が、前記レンズカバーの周縁に沿って延設されていることを特徴とするインターホン機器。
【請求項２】
前記本体ケースの前面上部に前記レンズカバーが取り付けられているとともに、前記保護突条が、前記レンズカバーの下縁に沿って設けられていることを特徴とする請求項１に記載のインターホン機器。
【請求項３】
スピーカ孔を有しており、前記本体ケースに内蔵されているスピーカの前方を覆うスピーカ用パネルが、前記本体ケースの前面側で、且つ、前記レンズカバーに隣接して設けられているとともに、
前記スピーカ用パネルの前記レンズカバーと隣接する側の端縁に、前記レンズカバーの周縁に沿って延びる前記保護突条が一体成形されていることを特徴とする請求項１又は２に記載のインターホン機器。
【発明の詳細な説明】
【技術分野】
【０００１】
本発明は、たとえば来訪者を撮像するためのカメラが備えられているとともに、そのカメラのレンズの前方がレンズカバーで覆われたインターホン子機等といったインターホン機器に関するものである。
【背景技術】
【０００２】
従来、インターホン機器の一例であるインターホン子機には、来訪者等を撮像するためのカメラが備えられることがある。そして、そのようなカメラ付きのインターホン子機としては、たとえば特許文献１に開示されているものがあり、本体ケースの前面にカメラのレンズが露出されているとともに、該レンズの前方を覆うようにレンズカバーが取り付けられている。
【先行技術文献】
【特許文献】
【０００３】
【特許文献１】特開２０１３−２０１５３５号公報
【発明の概要】
【発明が解決しようとする課題】
【０００４】
特許文献１に記載されているようなレンズカバーを取り付けたインターホン機器においては、レンズカバーが本体ケースの前面よりも前方へ（本体ケースの前面に化粧パネルが取り付けられている場合には、化粧パネルよりも前方へ）突出することがある。そして、そのようなインターホン機器では、たとえば壁面への施工時等に、作業者が本体ケースの前面側を下へ向けてインターホン機器を床面に置いてしまうと、レンズカバーの表面が広範囲にわたって床面と接触することになり、レンズカバーの中央部等、映像に支障をきたす位置に傷が生じることがあるという問題があった。
【０００５】
そこで、本発明は、上記問題に鑑みなされたものであって、たとえ本体ケースの前面側を下へ向けて置いてしまっても、レンズカバーが傷つきにくく、たとえ傷ついたとしても映像に支障をきたすことのないインターホン機器を提供しようとするものである。
【課題を解決するための手段】
【０００６】
上記目的を達成するために、本発明のうち請求項１に記載の発明は、本体ケースに内蔵されているカメラのレンズが本体ケースの前面側に露出しているとともに、レンズの前方が、本体ケースの前面よりも前方へ膨出するレンズカバーで覆われてなるインターホン機器であって、本体ケースの前面側において、少なくとも一部がレンズカバーの表面よりも前方へ突出する保護突条が、レンズカバーの周縁に沿って延設されていることを特徴とする。
請求項１に記載の発明によれば、本体ケースの前面側において、少なくとも一部がレンズカバーの表面よりも前方へ突出する保護突条が、レンズカバーの周縁に沿って延設されている。したがって、インターホン機器を、その前面を下へ向けて床面等へ置いた際に、レンズカバーよりも保護突条が確実に床面に接触する。したがって、レンズカバーの接触箇所を限定したり、レンズカバーが床面に接触しないように構成することが可能であり、レンズカバーが傷つく事態を抑制することができる。
【０００７】
請求項２に記載の発明は、請求項１に記載の発明において、本体ケースの前面上部にレンズカバーが取り付けられているとともに、保護突条が、レンズカバーの下端縁に沿って設けられていることを特徴とする。
請求項２に記載の発明によれば、一般的なインターホン機器では、カメラの重量に起因してカメラが設置されている側に重心が位置することが多いため、インターホン機器を、その前面を下へ向けて床面等へ置いた際、本体ケースの上部が下がり、レンズカバーの上端部と保護突条とが床面に接触した状態で支持されることになる。したがって、レンズカバーの床面との接触箇所を上端部に限定することができ、レンズカバーが傷つく事態を抑制することができる上、たとえ傷ついたとしてもレンズカバーの上端部であるため、傷が映像に映り込んだりすることがない。
【０００８】
請求項３に記載の発明は、請求項１又は２に記載の発明において、スピーカ孔を有しており、本体ケースに内蔵されているスピーカの前方を覆うスピーカ用パネルが、本体ケースの前面側で、且つ、レンズカバーに隣接して設けられているとともに、スピーカ用パネルのレンズカバーと隣接する側の端縁に、レンズカバーの周縁に沿って延びる保護突条が一体成形されていることを特徴とする。
請求項３に記載の発明によれば、スピーカ用パネルのレンズカバーと隣接する側の端縁に、レンズカバーの周縁に沿って延びる保護突条が設けられているため、保護突条が目立ちにくく、インターホン機器の外観が損なわれたりしない。また、スピーカ用パネルに保護突条が一体成形されているため、保護突条を設ける作業の簡略化を図ることができるし、部品点数の削減をも図ることができる。
【発明の効果】
【０００９】
本発明によれば、本体ケースの前面側において、少なくとも一部がレンズカバーの表面よりも前方へ突出する保護突条を、レンズカバーの周縁に沿って延設し、インターホン機器を、その前面を下へ向けて床面等へ置いた際、レンズカバーよりも保護突条が確実に床面に接触するようにした。したがって、レンズカバーの接触箇所を限定したり、レンズカバーが床面に接触しないように構成することが可能であり、レンズカバーが傷つく事態を抑制することができる。
【図面の簡単な説明】
【００１０】
【図１】インターホン子機を前側から示した斜視説明図である。
【図２】インターホン子機を右側から示した説明図である。
【図３】インターホン子機の前面側を下へ向けて床面に置いた状態におけるインターホン子機の左右方向での中央部分の断面を示した説明図である。
【発明を実施するための形態】
【００１１】
以下、本発明の一実施形態となるインターホン子機について、図面にもとづき詳細に説明する。
【００１２】
図１は、インターホン子機１を前側から示した斜視説明図である。図２は、インターホン子機１を右側から示した説明図である。図３は、インターホン子機１の前面側を下へ向けて床面に置いた状態におけるインターホン子機１の左右方向での中央部分の断面を示した説明図である。
【００１３】
インターホン子機１は、前側に配置される前ケース２と、後側に配置される後ケース３と、前ケース２の前面を覆うように取り付けられる化粧パネル４とで構成される本体ケースを有している。この本体ケースの前面上部には、カメラ窓５が開設されている（前ケース２と化粧パネル４との両者に開設されている）とともに、該カメラ窓５内に露出するカメラのレンズ６をレンズカバー７で覆ったカメラ部が設けられている。このレンズカバー７は、カメラ窓５を介して本体ケースの前面よりも前方へ膨出しており、その前面が左右方向で湾曲する湾曲面とされた膨出部７ａと、膨出部７ａの周縁部に鍔状に形成され、カメラ窓５からの抜け止めのためのフランジ部７ｂとを有している。
【００１４】
一方、本体ケースの前面側におけるカメラ部の右側には、通話のためのマイク部８が設けられている。また、カメラ部の下側には、通話のためのスピーカ部９が設けられているとともに、スピーカ部９の更に下側には、来訪者が居住者を呼び出す際に操作する呼出ボタン１０が設けられている。そして、このようなインターホン子機１は、住戸の玄関の壁面等に設置されており、来訪者による呼出ボタン１０の操作に応じて、住戸内に設置されているインターホン親機（図示せず）を呼び出すとともに、カメラを作動させて来訪者を撮像する。なお、カメラにより撮像された映像は、インターホン親機に備えられているモニタに表示される。また、２０は、インターホン子機１を壁面等に取り付けるための基台である。
【００１５】
ここで、本発明の要部となるレンズカバー７を保護するための保護構造について説明する。
カメラ部の下側に設けられているスピーカ部９は、本体ケース内に内蔵されているスピーカ１１と、スピーカ１１の前方を覆うように本体ケースの前面に設けられるスピーカ用パネル１２とを有する。スピーカ用パネル１２は、上下方向に長いスピーカ孔１３が略中央に開設された正面視矩形の合成樹脂製の板状部材であって、その上辺をレンズカバー７の下辺に隣接させるようにして、化粧パネル４の一部として組み付けられる。そして、スピーカ用パネル１２の前面の上端部（本体ケースの前面で言うと、上下方向での略中央部となる）に、上辺に沿って左右方向へ延びる保護突条１４が前方へ突設されている。この保護突条１４は、スピーカ用パネル１２と一体成形されているとともに、左右両端部から中央部にむかって徐々に突出量が大きくなるように形成されている。すなわち、保護突条１４の先端は、その中央部が最も前方へ膨出する湾曲状とされている。また、保護突条１４の最大突出部（左右方向での中央部）は、本体ケースの前面で最も前方まで（特にレンズカバー７の膨出部７ａの表面よりも前方まで）突出している。
【００１６】
以上のような構成を有するインターホン子機１によれば、本体ケースの前面に設けられたレンズカバー７の下側に、レンズカバー７と隣接してスピーカ用パネル１２を取り付けるとともに、少なくとも一部がレンズカバー７の表面よりも前方へ突出する保護突条１４を、スピーカ用パネル１２の上辺（スピーカ用パネル１２のレンズカバー７と隣接する側の端縁）に沿って左右方向へ延設している。すなわち、レンズカバー７の下側に隣接した位置に、少なくとも一部がレンズカバー７の表面よりも前方へ突出する保護突条１４を、レンズカバー７の下辺（下縁）に沿って左右方向に延設している。そのため、インターホン子機１を、その前面を下へ向けて床面等へ置いた際に、レンズカバー７よりも保護突条１４が確実に床面に接触する。そして、一般的なインターホン子機１では、カメラの重量に起因して本体ケースの上部に重心が位置することが多いため、本体ケースの上部が下がり、図３に示すようにレンズカバー７の上隅部と保護突条１４とが床面に接触した状態で支持されることになる。したがって、レンズカバー７の床面との接触箇所を上隅部に限定することができ、レンズカバー７が傷つく事態を抑制することができる。さらに、たとえ傷ついたとしてもレンズカバー７の上隅部であるため、傷が映像に映り込んだりすることがない（すなわち、映像に支障をきたさない）。
【００１７】
また、保護突条１４をスピーカ用パネル１２に一体成形しているため、スピーカ用パネル１２を取り付けるだけで、保護突条１４をレンズカバー７の下辺に沿って設けることができ、保護突条を設けるにあたっての作業の簡略化を図ることができるし、部品点数の削減をも図ることができる。
さらに、スピーカ用パネル１２の上辺に沿って保護突条１４を設けているため、保護突条１４がカメラ部とスピーカ部９との境界に位置することになる。その上、その境界が本体ケースの前面における上下方向で略中央となっており、さらに、保護突条１４を左右両端部から中央部にむかって徐々に突出量が大きくなるように形成することで、保護突条１４の先端をレンズカバー７の膨出部７ａの表面に似せた湾曲状に形成している。したがって、保護突条１４が目立ちにくく、インターホン子機１の外観が損なわれたりしない。
【００１８】
なお、本発明に係るインターホン機器は、上記実施形態の態様に何ら限定されるものではなく、インターホン機器の全体的な構成は勿論、保護突条等に係る構成についても、本発明の趣旨を逸脱しない範囲で、必要に応じて適宜変更することができる。
【００１９】
たとえば、上記実施形態では、レンズカバーの下縁に沿って保護突条を設けているが、レンズカバーの上縁に沿って保護突条を設けてもよく、保護突条の位置については適宜設計変更可能である。そして、上記実施形態では、本体ケースの前面を下へ向けて床面等に置いた際、保護突条とレンズカバーの上隅部とで本体ケースを支持するように構成しているが、レンズカバーの上縁に沿って保護突条を設けることで、保護突条と呼出ボタンとで本体ケースが支持されるように構成してもよい。そのように構成することで、レンズカバーの一層の保護を図ることができる。なお、上記実施形態では、カメラ側にインターホン機器の重心が位置するため、保護突条とレンズカバーの上隅部とで本体ケースが支持されているが、インターホン機器の重心をスピーカ側に位置させることにより、レンズカバーの下端縁に沿って保護突条を設けたとしても、保護突条と呼出ボタンとで本体ケースが支持されるようにすることも可能である。
【００２０】
また、レンズカバーの上縁及び下縁に夫々保護突条を設けてもよく（すなわち、２つの保護突条を設けてもよく）、保護突条の数等についても適宜設計変更可能である。
さらに、保護突条の先端を湾曲させず、前方への突出量が一定となるリブ状の保護突条を設けても何ら問題はない。その上、保護突条をスピーカ用パネルとは別部材としてもよいし、たとえば化粧パネル本体と一体成形してもよい。加えて、保護突条の形状については、レンズカバーの形状に応じては左右方向で上方若しくは下方へ湾曲するように形成してもよく、少なくとも一部がレンズカバーよりも前方へ突出してさえいれば適宜設計変更可能である。
【００２１】
さらにまた、レンズカバーとスピーカ部との位置関係についても適宜変更可能であり、たとえばレンズカバーの左右何れか側部にスピーカ部が設けられているものにおいて、レンズカバーの側縁に沿って保護突条を形成する等しても何ら問題はない。
加えて、上記実施形態では、インターホン機器の一例であるインターホン子機について説明しているが、カメラのレンズをレンズカバーで覆うものであれば、集合玄関機等の他のインターホン機器であっても何ら問題はない。
【符号の説明】
【００２２】
１・・インターホン子機（インターホン機器）、２・・前ケース（本体ケース）、３・・後ケース（本体ケース）、４・・化粧パネル（本体ケース）、７・・レンズカバー、７ａ・・膨出部、９・・スピーカ部、１０・・呼出ボタン、１２・・スピーカ用パネル、１４・・保護突条。
【図１】
2017022608.tif 000003
【図２】
2017022608.tif 000004
【図３】
2017022608.tif 000005